(57)【要約】ＣＲＴを筐体に取り付けるための振動分離装置が、支持部材を備え、支持部材の向かい合う正反対の側に２つの弾性部材が取り付けられる。支持部材および弾性部材はそれぞれ、筐体からＣＲＴへの振動の移動を最小限に抑えて振動移行の全体を低減するために、筐体に固定するためのネジを受けるように同軸の開口部を有する。
2004515126.tif 000002
【特許請求の範囲】
【請求項１】
陰極線管を筐体に対して支持および配置し、筐体中に存在する振動から陰極線管を分離するための装置であって、
支持部材を含むモジュールと、
前記支持部材の向かい合う正反対の側面に取り付けられた成形済み弾性手段の対とを備え、
前記支持部材と前記成形済み弾性手段の対のそれぞれとが、前記モジュールを前記筐体に固定するための細長い固定手段を受けるように同軸の開口部を有し、
前記装置は更に、前記陰極線管を前記支持部材に固定する手段を備え、
前記弾性手段の形状、寸法、および弾性のパラメータが、前記筐体から前記陰極線管への振動の伝播を低減するよう単独または組合せで選択される装置。
【請求項２】
前記弾性手段の形状、寸法、または弾性のパラメータが、所定のＣＲＴモデルに対して単独または組合せで選択される、請求項１に記載の装置。
【請求項３】
前記弾性手段の形状、寸法、または弾性のパラメータが、所定の振動周波数に対して単独または組合せで選択される、請求項１に記載の装置。
【請求項４】
前記成形済み弾性手段の対の形状、寸法、または弾性のパラメータが相互で同一でない、請求項１に記載の装置。
【請求項５】
前記弾性手段がほぼ半球の形状である、請求項１に記載の装置。
【請求項６】
陰極線管を筐体に対して支持および配置し、筐体中にある振動から陰極線管を分離するための装置であって、
支持部材を含むモジュールと、
前記筐体から前記ＣＲＴへの振動の伝播を低減するために前記支持部材の向かい合う正反対の側面に取り付けられた成形済み弾性手段の対とを備え、
前記支持部材と前記成形済み弾性手段の対のそれぞれとが、前記モジュールを前記筐体に固定するための細長い固定手段を受けるように同軸の開口部を有し、
更に、前記陰極線管を前記支持部材に固定する手段を備える装置。
【請求項７】
前記弾性手段の形状、寸法、または弾性のパラメータが、前記筐体から前記陰極線管への選択的な振動周波数の伝播を低減するよう単独または組合せで選択される、請求項６に記載の装置。
【請求項８】
前記弾性手段がほぼ半球の形状である、請求項６に記載の装置。
【請求項９】
陰極線管を筐体に取り付けるための振動分離装置であって、前記筐体から前記ＣＲＴへの振動の伝播を低減するために、支持部材を備え、前記支持部材の向かい合う正反対の側面に２つの弾性部材が取り付けられ、前記支持部材中および前記弾性部材中に同軸の開口部がある装置。
【請求項１０】
陰極線管を筐体に取り付けるための音響分離装置を有する陰極線管であって、前記筐体から前記陰極線管への振動の伝播を低減するために、支持部材を備え、前記支持部材の向かい合う正反対の側面に２つの弾性部材が取り付けられ、前記支持部材中および前記弾性部材中に同軸の開口部がある陰極線管。
【請求項１１】
陰極線管を筐体に取り付けるための振動分離装置を有する映像表示デバイスであって、前記筐体から前記陰極線管への振動の伝播を低減するために、支持部材を備え、前記支持部材の向かい合う正反対の側面に２つの弾性部材が取り付けられ、前記支持部材中および前記弾性部材中に同軸の開口部がある映像表示デバイス。
【発明の詳細な説明】
【０００１】
（産業上の利用分野）
本発明は、陰極線管（ＣＲＴ、ブラウン管）の振動（ｖｉｂｒａｔｉｏｎ）および衝撃（ｓｈｏｃｋ）の分離装置に関し、より詳細には、振動分離の取り付けモジュールを陰極線管（ＣＲＴ）のモデル（型）に適応させることに関する。
【０００２】
（発明の背景）
陰極線管（ＣＲＴ）のエンベロープ（外囲器）は、ごく低い内圧になるまで排気されており、従って、陰極線管の表面に作用する大気圧によって生み出される応力（ｓｔｒｅｓｓ）、および衝撃力（ｉｍｐａｃｔ　ｆｏｒｃｅ）により、爆縮（内破）する可能性がある。当該技術分野に於て、この問題は、フェイスプレート・パネルの外周側壁の周りに延びる防爆バンド（ｉｍｐｌｏｓｉｏｎ　ｐｒｏｔｅｃｔｉｏｎ　ｂａｎｄ：内破保護バンド、爆縮防止バンド）をＣＲＴに設けることによって対処されてきた。このようなバンドを使用してＣＲＴの側壁に圧力を加えて、フェイスプレート・パネルの幾らかの力を再分散させ、且つ陰極線管の耐衝撃性を高める。というのは、圧力がかかっているガラスは、張力がかかっているガラスよりも強く、バンドは、通常なら張力がかかるフェイスプレート・パネル領域で圧力を引き起こすからである。
【０００３】
陰極線管をキャビネット（ｃａｂｉｎｅｔ）内で固定し支持するために、取り付けラグ（ｌｕｇ：突起部）が使用される。取り付けラグは、防爆バンドと一体型の場合もあり、防爆バンドに付属する場合もあり、バンドと陰極線管の側壁との間に収まる場合もある。通常、取り付けラグは陰極線管のコーナに配置され、矩形のフェイスプレート・パネルの対角線に沿って配置されるが、その他の取り付けラグ配置も知られている。取り付けラグは、バンドから外に延び、通常、陰極線管をキャビネットに固定するためのネジ（ｓｃｒｅｗ：螺子）を受けるように取り付け用開口部（ａｐｅｒｔｕｒｅ）またはスロット（ｓｌｏｔ：溝）を有する。ＣＲＴをキャビネット内で正しく位置合わせした後、ネジを取り付けラグの穴の中に入れて締め付け、キャビネットにＣＲＴがしっかりと取り付けられるようにする。
【０００４】
カラーＣＲＴは、フェイスプレート・パネルの内表面の上に懸垂するシャドウ・マスクを使用する。このシャドウ・マスクは、マスク構造体の機械的な共鳴振動数および／または高調波振動数／低調波振動数と一致する振動を受ける場合がある。これらの振動は主に、やはりキャビネットに取り付けられてキャビネット内にあるスピーカーによりキャビネット内で伝播される音によって生じる。マスク・フレーム構造体のこのような共鳴は、ＣＲＴ画面上に望ましくない視覚効果、例えばマイクロフォニック雑音（ｍｉｃｒｏｐｈｏｎｉｃｓ）を引き起こすことになる。非常に極端な場合、シャドウ・マスク構造体は、数百マイクロメートルも振動し、色生成電子ビームとシャドウ・マスクのシャドウとを揺らし、ＣＲＴ上に更に望ましくない視覚効果、例えばカラー・バンディング（帯状の色むら）や色収差を引き起こすことがある。従って、キャビネットからＣＲＴ取り付け構造体を介してＣＲＴに伝播される振動を最小限に抑えることが望ましい。
【０００５】
ＣＲＴを振動から保護するために様々なタイプの振動低減／除去または防止の方法を用いることが、当該技術分野で周知である。このような従来技術の手法の１つが米国特許第４，６５１，２１８号に記載されているが、この手法では、弾性ゴム・グロメット（ｇｒｏｍｍｅｔ）を使用して、ＣＲＴ取り付けネジおよびキャビネットに存在する振動からＣＲＴおよびＣＲＴ取り付けラグを振動分離する。
【０００６】
しかし、シャドウ・マスクのサイズおよび形状は視聴画面のサイズおよび形状により異なるので、例えば４対３（４×３）や１６対９（１６×９）など様々な縦横比（アスペクト比）のものを含めて、異なる画面サイズのＣＲＴは異なるシャドウ・マスク共鳴を有する。キャビネットに関して特に振動設計を考慮しなくても、特定モデル（型）のＣＲＴを種々のキャビネットに取り付けることができるように、各ＣＲＴ機種ごとにＣＲＴ取り付けハードウェアを提供することが望ましい。言い換えれば、ＣＲＴが取り付けられるキャビネットに関係なく、ＣＲＴモデル用に取り付けハードウェアを設計することが望ましい。
【０００７】
（発明の概要）
ＣＲＴを筐体（ｈｏｕｓｉｎｇ）に取り付けるための振動分離装置を開示する。支持部材（ｂａｓｅ　ｍｅｍｂｅｒ）は、支持部材の向かい合う正反対の側面に取り付けられた２つの成形済み高コンプライアンス部材を有し、この３つの部材中には同軸の開口部がある。支持部材はＣＲＴに固定される。開口部は、モジュールおよびＣＲＴをキャビネットに固定するための、ネジなどの細長い固定部材を受ける。２つの成形済み高コンプライアンス部材は、支持部材と共に、筐体からＣＲＴへの振動の移動を最小限に抑える。一実施形態では、所定のネジ締め付けトルクと共に、高コンプライアンス部材のパラメータが、特定の振動周波数の伝播を最小限に抑えるように選択される。
【０００８】
（好ましい実施形態の説明）
陰極線管（ＣＲＴ）は通常、開口部を有する４つの取り付けラグによってキャビネットまたは筐体に取り付けられ、各開口部の中に留め具が挿入される。通常、取り付けラグは陰極線管のコーナに配置され、矩形のフェイスプレートの対角線に沿って配置される。このような構成は、当該技術分野で周知である。
【０００９】
ここで図１を参照すると、前述のように、ＣＲＴ１０に防爆バンド１２が設けられ、防爆バンド１２に取り付けラグ１４が固定される。取り付けラグ１４には、円柱状の支持部材１８をしっかりと受けるための開口部１６が設けられている。支持部材１８の向かい合う正反対の各側面２０、２２には凹部（ｒｅｃｅｓｓ）２４が設けられ、各凹部２４には、それぞれ弾性部材２６ａ、２６ｂが配置される。支持部材１８および各弾性部材２６ａ、２６ｂは、同軸の円柱状開口部２８を有し、この開口部２８の中に保持するための固定ネジ３０が通って、ＣＲＴをシャーシ／筐体３２に固定する。ワッシャ（座金）３４が、ネジ頭（ネジ山）３６と部材２６ａとの間で、ネジ３０の周りに同心円状に配置される。第２のワッシャ３７が、部材２６ｂと筐体３２との間でそれらに接して、ネジ３０の周りに同心円状に配置される。
【００１０】
弾性部材２６ａ、２６ｂは、合成ゴムや合成プラスチックのような重合物質、エラストマー系（ｅｌａｓｔｏｍｅｒｉｃ）弾性部材、例えばネオプレン（ｎｅｏｐｒｅｎｅ）やＰＶＣ（ポリ塩化ビニル）などで作られている。弾性部材２６ａ、２６ｂの剛性は、圧縮する力がかかったときに振動および動的衝撃Ｇ力（ｆｏｒｃｅ）を弱めることのできる所定の動的剛性を有するように選択される。図示のように、弾性部材２６ａ、２６ｂはほぼ半球の形状であり、それぞれの対応する凹部２４にぴったり収まるが、例えば円錐形や円柱形など他の形状を用いて振動周波数の所望の低減を達成することもできること、並びに２つの部材２６ａ、２６ｂは同じ形状、サイズ、または動的剛性である必要はないことも、本発明の創案に含まれる。部材２６ａ、２６ｂの圧縮量を決定するネジ３０の締め付けトルクと、部材２６ａ、２６ｂのデュロメータ（ｄｕｒｏｍｅｔｅｒ）剛性、形状、および寸法を選択して、キャビネット／筐体３２からＣＲＴ１０への有害な周波数の伝播を防止するようにシステムを調整する。典型的な当該周波数は、ソフトテンション・トゥルーフラット（ｓｏｆｔ−ｔｅｎｓｉｏｎ　ｔｒｕｅ−ｆｌａｔ）ＣＲＴでは８０Ｈｚから９０Ｈｚの範囲内であり、従来型の成形シャドウ・マスクＣＲＴではこれよりもいくぶん高い。
【００１１】
ワッシャ３４、３７と支持部材１８および筐体／キャビネット３２との間の空隙（ｃｌｅａｒａｎｃｅ：クリアランス）３８はそれぞれ、振動エネルギーが陰極線管に伝わる前に弾性部材を通過しなければならないようにするが、この空隙は、耐衝撃性をＣＲＴの長手軸に沿ったＺ面にもたらすように制限される。従って、開示する防振取り付け装置は、望ましくない周波数を捕え、振動エネルギーを分散させ、かなりの衝撃保護を与える。
【００１２】
支持部材１８は、幾つかの方式で取り付けラグ１４の開口部１６内に固定することができる。例えば、溶接やプレス（圧力）嵌めの方式があり、また、開口部１６の内径と支持部材１８の外径がぴったり合うようにサイズ調整して、支持部材１８を一旦冷やした後、周囲温度における支持部材１８の熱膨張により、支持部材１８を取り付けラグ１４に固定するようにするか、あるいは、支持部材１８の外径にネジを切り、一対の留めナットを支持部材１８の軸方向の長さに沿ってその上を通して取り付けラグ１４の両側で締め付けるようにする方式（図示せず）がある。
【００１３】
更に、支持部材１８および弾性部材２６ａ、２６ｂの、開示するこのようなモジュール（ｍｏｄｕｌｅ：構成部品）は、ネジ３０についての所定の締め付けトルクによって特定のＣＲＴの特性に対して決定することができ、次いでこのようなモジュールは、キャビネット／シャーシの振動特性に関係なく、様々なキャビネット／シャーシで使用することができる。
【図面の簡単な説明】
【図１】
本発明の態様によるＣＲＴ取り付け構成の、部分的に破断図とした典型的な側面図である。
【図１】
2004515126.tif 000003
【国際公開パンフレット】
2004515126.tif 000004
2004515126.tif 000005
2004515126.tif 000006
2004515126.tif 000007
2004515126.tif 000008
2004515126.tif 000009
2004515126.tif 000010
2004515126.tif 000011
2004515126.tif 000012
2004515126.tif 000013
2004515126.tif 000014
【国際公開パンフレット（コレクトバージョン）】
2004515126.tif 000015
2004515126.tif 000016
【国際調査報告】
2004515126.tif 000017
2004515126.tif 000018
2004515126.tif 000019